(57)【特許請求の範囲】
【請求項１】
キー操作部を備えた入力手段を有する携帯端末であって、
キー操作部に配置された複数のキーのうちキー操作に用いられたキーを認識する認識手段と、キー機能登録／変更モードで選択されたと認識したキーに割り当てられたキー機能を照合する照合手段と、照合したキー機能を、携帯端末が有する複数のキー機能から任意に選択されたキー機能に変更する変更手段と、変更前のキーとキー機能とを対応付けるキー機能テーブルと変更後のキーとキー機能とを対応付けるキー機能テーブルを格納する格納手段とをさらに備え、
前記格納手段は、前記キー機能登録／変更モードで選択されたキーとキー機能の情報を一時的に格納するとともに、確定キーが入力されたとき、前記変更手段により前記情報を選択されたキーに一対一に対応させてキー機能を変更し保存することを特徴とする携帯端末。
【請求項２】
前記格納手段には、変更前のキー機能を示す情報として、携帯端末が有する複数の機能とキーとを対応付けた前記キー機能テーブルが格納されており、前記照合手段は、前記キー機能テーブルに基づいて、認識したキーに割り当てられたキー機能の照合を行う請求項１記載の携帯端末。
【請求項３】
前記変更手段によって変更されるキー機能が、キーを押下することにより実行される機能、キーを押下することにより鳴らされる音、キーを押下することにより表れる表示、およびキーを押下することにより発生する振動のうちの少なくとも１つのキー機能である請求項１または２記載の携帯端末。
【発明の詳細な説明】
【０００１】
【発明の属する技術分野】
本発明は、キー操作部等を含む入力手段を有する携帯端末、またはこの入力手段と共に外部よりデータをダウンロードすることが可能な携帯端末に関するものである。
【０００２】
【従来の技術】
従来の携帯端末について携帯電話を一例としてあげて説明する。
【０００３】
図８は従来の携帯電話の外観の一例を示す説明図である。
【０００４】
携帯電話のキー操作部は、例えば、０〜９の数字や文字およびアルファベット、＊（アスタリスク）、ならびに＃（シャープ）の入力に用いられる１２個のキー（図８において領域Ｄ１に配置されているキー）と、表示内容をスクロールまたは切替えるために上下左右方向を選択するための方向指示キー等の各種機能キー（図８において領域Ｄ２に配置されているキー）とから構成されている。なお、この機能キーの役割や配置および個数には携帯電話の機種によって多少の差がある。
【０００５】
さらに、携帯電話の前面には、キー以外に、領域Ｄ１の下側に配置された送話口１０１、領域Ｄ２の上側に配置された表示部１０２、およびこの表示部１０２の上側に配置された受話口１０３等が配置されており、携帯電話の本体先端部にはアンテナ１０４が配置されている。
【０００６】
図９は図８に示す携帯電話のキーマトリクスの配線パターンの一例を示す説明図である。
【０００７】
キーマトリクスを構成する配線は、制御部１０５のキー出力部１０５ａに接続された４本の第１配線ＫＯ０，ＫＯ１，ＫＯ２，ＫＯ３と、制御部１０５のキー入力部１０５ｂに接続された６本の第２配線ＫＩ０，ＫＩ１，ＫＩ２，ＫＩ３，ＫＩ４，ＫＩ５とからなる。なお、第１配線および第２配線の数はキーの個数に従って設定されている。
【０００８】
これら第１配線ＫＯ０，ＫＯ１，ＫＯ２，ＫＯ３は、第２配線ＫＩ０，ＫＩ１，ＫＩ２，ＫＩ３，ＫＩ４，ＫＩ５と個々に交差しており、各交差部がキーマトリクスとなっている。図９では、第１配線ＫＯ０と第２配線ＫＩ０，ＫＩ１，ＫＩ２，ＫＩ３，ＫＩ４，ＫＩ５とが交差してなる各キーマトリクスを符号ＳＷ１００，ＳＷ１０１，ＳＷ１０２，ＳＷ１０３，ＳＷ１０４，ＳＷ１０５で示し、第１配線ＫＯ１と第２配線ＫＩ０，ＫＩ１，ＫＩ２，ＫＩ３，ＫＩ４，ＫＩ５とが交差してなる各キーマトリクスを符号ＳＷ１１０，ＳＷ１１１，ＳＷ１１２，ＳＷ１１３，ＳＷ１１４，ＳＷ１１５で示し、第１配線ＫＯ２と第２配線ＫＩ０，ＫＩ１，ＫＩ２，ＫＩ３，ＫＩ４，ＫＩ５とが交差してなる各キーマトリクスを符号ＳＷ１２０，ＳＷ１２１，ＳＷ１２２，ＳＷ１２３，ＳＷ１２４，ＳＷ１２５で示し、第１配線ＫＯ３と第２配線ＫＩ０，ＫＩ１，ＫＩ２，ＫＩ３，ＫＩ４，ＫＩ５とが交差してなる各キーマトリクスを符号ＳＷ１３０，ＳＷ１３１，ＳＷ１３２，ＳＷ１３３，ＳＷ１３４，ＳＷ１３５で示している。
【０００９】
また、図８に示すキーは携帯電話内部においてこれらのキーマトリクス上に一対一で配置されており、キーが押下されたときのみそのキー下部のキーマトリクスを構成する第１配線と第２配線とが接触して電気的に接続された状態になる。
【００１０】
表１には各キーマトリクスへのキー割り当てを示すキーテーブルの一例が示されている。例えば、キーマトリクスＳＷ１００にはマナーキーが配置され、ＳＷ１０１には３の数字キーが配置されている。ただし、キーマトリクスＳＷ１３０，ＳＷ１３３上に配置されたキーは図８には図示されていない。
【００１１】
【表１】
0003725400.tif 000002
【００１２】
このキーマトリクスは、６本の第２配線の中から出力電圧がＬｏｗ（ロー）レベルとなっているものを検出することにより押下されているキーを認識する、いわゆるＬｏｗ認識を採用しているため、第２配線はＰｕｌｌ  Ｕｐされている。
【００１３】
また、携帯電話は、図１０に示すように、液晶表示装置（ＬＣＤ）等からなる表示部１０２と、携帯電話で通信を行うための通信プロトコルの制御やキー操作等のユーザＩ／Ｆ（ｉｎｔｅｒｆａｃｅ）制御等、携帯電話の全ての機能を制御する制御部１０５と、図８に示すキー操作部等が配置された入力部１０６と、通信網を介して接続可能な基地局１２０との通信を行うアンテナ１０４および送受信部１０７と、デジタル信号をアナログ音声信号に変換し、またアナログ音声信号をデジタル信号に変換する等、オーディオパスを切替える音声部１０８と、送話口から取り込んだ音をアナログ音声信号に変換して音声部１０８に出力するマイク１０９と、音声部１０８から出力されたアナログ音声信号を音に変換して受話口に向けて出力するレシーバ１１０と、バイブレータ等の振動部１１１と、プログラムメモリを格納しているフラッシュメモリであり、主に不揮発性メモリからなるプログラムメモリ部１１２と、キーとキー機能とを対応付けるキー機能テーブルを格納しているデータメモリ部１１３とから構成されている。
【００１４】
前記制御部１０５は、携帯電話に接続可能な外部機器または外部メモリ１２１とのデータの送受信が可能である。
【００１５】
表２には各キーのキー機能等を示すキー機能テーブルの一例が部分的に示されており、このキー機能テーブルはデータメモリ部１１３に格納されている。
【００１６】
例えば、表３に示すキーマトリクスのうちのＫＯ０−ＫＩ１（つまり、第１配線ＫＯ０と第２配線ＫＩ１とのキーマトリクス）については、押下することにより選択されたキー、即ち「選択キー」は「３」であり、キーマトリクス上に配置されているキーが押下されたときに選択される「機能」は「３」であり、キーマトリクス上に配置されているキーが押下されたときに鳴らされる「音」は「６９７Ｈｚ，１４７７Ｈｚ」のＤＴＭＦトーンであり、表示部の「表示」は「３」であり、振動部による「振動」は「無し」となっている。このように、すべてのキーマトリクスについて、選択キー、機能、音、表示および振動といったキー機能が割り当てられている。
【００１７】
【表２】
0003725400.tif 000003
【００１８】
次に、従来の携帯電話のキー認識動作について図面を参照しつつ説明する。
【００１９】
図１１は従来の携帯電話のキー認識動作の一例を示すフローチャートである。
【００２０】
ここでは、キー押下時に制御部においてキーを認識するキースキャンの動作について説明する。
【００２１】
まずはじめに、携帯電話の電源がＯＮ状態になると待ち受け状態になる（ステップＳ１１−１）。この状態で、携帯電話はキー押下による割り込みを待っており（ステップＳ１１−２）、キー押下による割り込みが無い場合は（ステップＳ１１−２における判断結果がＮＯである場合は）、ステップＳ１１−１に戻る。
【００２２】
一方、ここで例えばＳＷ１３５上に配置された「メモ」キーが長く押下されると、キー割り込みが発生し（ステップＳ１１−２における判断結果がＹＥＳになって）、制御部１０５は押下されたキーを認識するためにキースキャンを開始する。
【００２３】
このキースキャンでは、まず、キー出力部１０５ａから第１配線ＫＯ０への出力信号のみをＬｏｗ（ロー）レベルにする。つまり、第１配線ＫＯ０への出力信号をＬｏｗレベルにし、第１配線ＫＯ１〜ＫＯ３への出力信号をＨｉｇｈ（ハイ）レベルにする（ステップＳ１１−３）。次に、制御部１０５は、第２配線ＫＩ０〜ＫＩ５からキー入力部への各入力信号の状態を読み取り、Ｌｏｗレベルの入力信号が有るか否かを判断する（ステップＳ１１−４）。つまり、キーが押下されると、そのキーの下部のキーマトリクスにおいて第１配線と第２配線とが接触し、第１配線に入力された入力信号が第２配線に表れる。従って、第１配線ＫＯ０への出力信号をＬｏｗレベルにして第２配線ＫＩ０〜ＫＩ５からの入力信号の状態を読み取ることによって、ＳＷ１００〜ＳＷ１０５をチェックし、押下されているキーを認識することができる。ここでは、「メモ」キーが押下されており、この「メモ」キーはＳＷ１３５上に配置されている（表１参照）ため、第１配線ＫＯ０への出力信号のみをＬｏｗレベルにしたときにはすべての第２配線ＫＩ０〜ＫＩ５はＰｕｌｌ  Ｕｐされたままであり、第２配線ＫＩ０〜ＫＩ５からの入力信号はＨｉｇｈレベルになる（ステップＳ１１−５での判断結果がＮＯになる）。
【００２４】
このように、入力信号がＬｏｗレベルになっている第２配線が無い場合は、次の第１配線ＫＯ１への出力信号のみをＬｏｗレベルにする（ステップＳ１１−７）。ここでも、すべての第２配線ＫＩ０〜ＫＩ５からの入力信号はＨｉｇｈレベルになる（ステップＳ１１−８での判断結果がＮＯになる）。
【００２５】
続いて、次の第１配線ＫＯ２への出力信号のみをＬｏｗレベルにする（ステップＳ１１−１０）。ここでも、すべての第２配線ＫＩ０〜ＫＩ５からの入力信号はＨｉｇｈレベルになる（ステップＳ１１−１１での判断結果がＮＯになる）。
【００２６】
そして、第１配線ＫＯ３への出力信号のみをＬｏｗレベルにすると（ステップＳ１１−１３）、第２配線ＫＩ０〜ＫＩ４からの出力信号はＨｉｇｈレベルであるが、第２配線ＫＯ５からの出力信号はＬｏｗレベルとなる（ステップＳ１１−１４での判断結果がＹＥＳになる）。その結果、表１に示すキーテーブルに基づき、第１配線ＫＯ３と、Ｌｏｗレベルになっていることが認識された第２配線ＫＯ５とのキーマトリクス上に配置された「メモ」キーが押下されたという判断が行なわれる（ステップＳ１１−１５）。この判断に基づき、表２に示すキー機能テーブルを参照して「メモ」キーのキー機能による動作が行なわれる（ステップＳ１１−６）。つまり、「メモ」キー長押しに相当するメモ録機能が動作し、２０００Ｈｚの音がレシーバ１１０から鳴り、表示部１０２にメモ録を開始することを示す表示が表れる。
【００２７】
なお、ステップＳ１１−４、ステップＳ１１−８およびステップＳ１１−１１での判断結果がＹＥＳである場合は、第１配線ＫＯ０、第１配線ＫＯ１または第１配線ＫＯ２と、Ｌｏｗレベルになっていることが認識された第２配線ＫＯＸ（Ｘは０〜５のいずれか）とのキーマトリクス上に配置されたキーが押下されたという判断が行なわれ（ステップＳ１１−５、ステップＳ１１−９またはステップＳ１１−１２）、表２に示すキー機能テーブルを参照して、押下されたキーのキー機能に基づく動作が行なわれる（ステップＳ１１−６）。一方、ステップＳ１１−１４での判断結果がＮＯになった場合には、ステップＳ１１−１に戻り、待ちうけ状態になる。
【００２８】
なお、図１１に示すキー認識動作は携帯電話の電源がＯＦＦ（オフ）状態になることで終了する。
【００２９】
この従来の携帯電話においては、表２に示すキー機能テーブルはプログラムメモリ部１１２に格納されており、プログラムを変更しない限り、キーへの機能の割当を変更することは不可能である。
【００３０】
【発明が解決しようとする課題】
近年、携帯電話市場の拡大に伴って多種多様な携帯電話が製品化されているが、従来の携帯電話においては基本的なキー配置はほぼ同じであり、使用途中で使用者が任意にキーの機能割当を変更することができないといった問題があった。そのため、ある特定のキー配列に慣れてしまうと他のキー配列の携帯電話が使いづらくなってしまう。さらに、使用頻度の多い機能というのは使用者ごとに異なっており、この使用頻度の多い機能がキー操作を複数回行なわなければ実行できない場合には、キー操作が複雑になり非常に手間がかかる等といった不便さがあった。
【００３１】
また、使用者が自分で携帯電話をカスタマイズ化するときには、外観に対する装飾等でオリジナリティをもたすことは可能であるが、キー配置およびキー機能の割当は変更されないままであった。さらにまた、基本的なキー配置はいずれの携帯電話においても同様であるため盗難や紛失等で持ち主以外の人が携帯電話を使用することは容易であり、携帯電話の通話を管理するネットワーク側が対応を行うまでは不正使用されるといった問題があった。
【００３２】
一方、目の不自由な人が携帯電話を使用する場合、数字キーの認識は可能であるが、表示部の表示内容に従って操作を行うような階層が深い機能の実行は困難であるといった問題があった。
【００３３】
本発明はこのような問題を解決すべく創案されたもので、キー操作やデータのダウンロードを行うことにより、キーの機能、音、表示および振動を任意に割り当て直すことができる携帯端末を提供するものであり、その結果、使い勝手を向上させること、オリジナリティーを増すこと、および秘匿性を増すことが可能な携帯端末を提供するものである。
【００３４】
【課題を解決するための手段】
本発明の携帯端末は、キー操作部を備えた入力手段を有する携帯端末であって、キー操作部に配置された複数のキーのうちキー操作に用いられたキーを認識する認識手段と、キー機能登録／変更モードで選択されたと認識したキーに割り当てられたキー機能を照合する照合手段と、照合したキー機能を、携帯端末が有する複数のキー機能から任意に選択されたキー機能に変更する変更手段と、変更前のキーとキー機能とを対応付けるキー機能テーブルと変更後のキーとキー機能とを対応付けるキー機能テーブルを格納する格納手段とをさらに備え、前記格納手段は、前記キー機能登録／変更モードで選択されたキーとキー機能の情報を一時的に格納するとともに、確定キーが入力されたとき、前記変更手段により前記情報を選択されたキーに一対一に対応させてキー機能を変更し保存するものである。
【００３５】
この発明によれば、キーの機能、音、表示および振動を任意に割り当て直すことができる。
【００３６】
また、前記格納手段が、変更前のキー機能を示す情報として、携帯端末が有する複数の機能とキーとを対応付けたキー機能テーブルを格納しており、前記照合手段は、このキー機能テーブルに基づいて、認識したキーに割り当てられたキー機能の照合を行うものであってもよい。
【００３７】
また、前記キー機能を表す項目が、キーを押下することにより実行される機能、キーを押下することにより鳴らされる音、キーを押下することにより表れる表示、およびキーを押下することにより発生する振動のうちの少なくとも１つからなるものであってもよい。
【００４２】
【発明の実施の形態】
次に、本発明の携帯端末の実施の形態について携帯電話を一例としてあげて説明する。
【００４３】
図１は、本発明の携帯端末の一実施の形態としての携帯電話を示す説明図である。
【００４４】
なお、携帯電話の外観は図８に示す従来の携帯電話の外観と同様であり、ここでも、携帯電話のキーマトリクスの配線パターンとして図９に示す従来の携帯電話のキーマトリクスの配線パターンを採用している。さらに、各キーマトリクスへのキー割り当てとしては表１に示すキーテーブルを採用しており、変更前のキー機能を示すキー機能テーブルとしては表２に示すキー機能テーブルが採用されている。
【００４５】
また、携帯電話は、キー操作部等が配置された入力部１と、液晶表示装置からなる表示部２と、通信網を介して接続可能な基地局２０との通信を行う送受信部３およびアンテナ４と、携帯電話で通信を行うための通信プロトコルの制御やキー操作等のユーザＩ／Ｆ制御等、携帯電話の全ての機能を制御する制御部５と、デジタル信号をアナログ音声信号に変換し、またアナログ音声信号をデジタル信号に変換する等、オーディオパスを切替える音声部６と、送話口から取り込んだ音をアナログ音声信号に変換して音声部６に出力するマイク７と、音声部６から出力されたアナログ音声信号を音に変換して受話口に向けて出力するレシーバ８と、バイブレータ等の振動部９と、プログラムメモリを格納しているフラッシュメモリであり、主に不揮発性メモリからなるプログラムメモリ部１０と、キーとキー機能とを対応付けるキー機能テーブルを格納しているデータメモリ部１１とから構成されている。
【００４６】
前記制御部５は、携帯電話に接続可能な外部機器または外部メモリ２１とのデータの送受信が可能である。さらに、制御部５は、キー操作部に配置された複数のキーのうちキー操作に用いられたキーを認識する認識手段５ａ、認識したキーに割り当てられたキー機能を照合する照合手段５ｂ、および照合したキー機能を、携帯電話が有する複数のキー機能から任意に選択されたキー機能に変更する変更手段５ｃとして動作する。
【００４７】
また、データメモリ部１１は、変更後のキー機能を示す情報を格納する格納手段としても機能する。
【００４８】
まず、図１に示す携帯電話のキー機能登録／変更動作について説明する。
【００４９】
図２は、図１に示す携帯電話のキー機能登録／変更動作の一例を示すフローチャートである。
【００５０】
まずはじめに、携帯電話の電源がＯＮ状態になる（ステップＳ１−１）と、携帯電話が立ち上がって待ち受け状態になる（ステップＳ１−２）。この状態で、携帯電話はキー押下による割り込みを待っており（ステップＳ１−３）、キー押下による割り込みが無い場合（ステップＳ１−３における判断結果がＮＯである場合）は、ステップＳ１−２に戻る。
【００５１】
一方、入力部１のキーが押下されると（ステップＳ１−３における判断結果がＹＥＳになると）、キー割り込みが発生し、制御部５はキー操作部を用いたキー操作が行なわれたことを確認する。続いて、制御部５はこのキーの押下によるキー操作がキー機能登録／変更モードであるか否かの判断を行なう（ステップＳ１−４）。そして、キー機能登録／変更モードでは無いと判断した場合（ステップＳ１−４における判断結果がＮＯである場合）は、従来の携帯電話と同様にキー機能に従った通常動作が実行される（ステップＳ１−５）。
【００５２】
また、キー機能登録／変更モードであると判断した場合（ステップＳ１−４における判断結果がＹＥＳである場合）は、携帯電話はキーの機能を変更するキー機能登録／変更モードに入り、変更対象のキーが選択（押下）されるのを待つ。そして、キーが選択されると（ステップＳ１−６）、制御部５の認識手段５ａはキー操作によって選択されたキーを認識し、制御部５の照合手段５ｂは、このキーに予め割り当てられている機能の照合をデータメモリ部１１に格納されているキー機能テーブルに基づき行った後、表示部２に任意の表示を行うことによって、押下したキーと機能とを順番にトレースするキー機能トレースモードと、機能自体を選択して割り当てる機能モードとのうちのいずれか一方のモードを携帯電話の使用者に選択させる（ステップＳ１−７）。
【００５３】
ここで、キー機能トレースモードが選択されると（ステップＳ１−７における判断結果がＹＥＳである場合は）、制御部５はキー機能トレースモードフラグをＯＮにしてこの状態を覚える（ステップＳ１−８）。一方、機能モードが選択されると（ステップＳ１−７における判断結果がＮＯである場合は）、制御部５は機能モードフラグをＯＮにしてこの状態を覚える（ステップＳ１−９）。
【００５４】
次いで、入力部１のクリアキーが押下されたか否かを判断し（ステップＳ１−１０）、クリアキーが押下されていれば（ステップＳ１−１０における判断結果がＹＥＳであった場合は）、選択されたキーに割り当てられた初期値を含む現状の設定機能をクリアし（ステップＳ１−１１）、さらに、入力部１の確定キーが押下されたか否かを判断する（ステップＳ１−１２）。一方、クリアキーが押下されていなければ（ステップＳ１−１０における判断結果がＮＯであった場合は）、入力部１の確定キーが押下されたか否かを判断する（ステップＳ１−１２）。
【００５５】
そして、確定キーが押下されなければ（ステップＳ１−１２における判断結果がＮＯであった場合は）、キー機能トレースモードフラグと機能モードフラグとのうちのいずれのフラグがＯＮになっているのかを判断する（ステップＳ１−１３）。ここで、ＯＮになっているのがキー機能トレースモードフラグである場合は（ステップＳ１−１３における判断結果がＹＥＳである場合は）、選択されたキーと機能とを順番に履歴に残し、データメモリ部１１に一時的に格納（記憶）し（ステップＳ１−１５）、ステップＳ１−１０に戻る。一方、ＯＮになっているのが機能モードフラグである場合は（ステップＳ１−１３における判断結果がＮＯである場合は）、表示部２に表示されたメニューから選択された機能をデータメモリ部に一時的に格納（記憶）し（ステップＳ１−１６）、ステップＳ１−１０に戻る。
【００５６】
そして、ステップＳ１−１２における判断結果がＮＯの間は、前述のステップＳ１−１０〜１３、ステップＳ１−１５およびステップＳ１−１６を適宜繰り返し実行する。その後、ステップＳ１−１２において確定キーが押下されたと判断されると（ステップＳ１−１２における判断結果がＹＥＳになると）、制御部５の変更手段５ｃにより、前述のステップＳ１−１５，１６でデータメモリ部１１に一時的に格納していた情報をステップＳ１−６で選択されたキーに一対一に対応させて機能を変更する（ステップＳ１−１４）。
【００５７】
続いて、ステップＳ１−１４において対応させたキーと機能とを示すキー機能テーブルを新規に作成するか否かを、表示部２に任意の表示を行うことによって携帯電話の使用者に選択させる（ステップＳ１−１７）。
【００５８】
ここで、キー機能テーブルを新規に作成しないことが選択された場合は（ステップＳ１−１７における判断結果がＮＯである場合には）、新しいキー機能テーブルを、既にデータメモリ部１１に格納されていたキー機能テーブルに上書きしてデータメモリ部１１に格納する（ステップＳ１−１８）。一方、キー機能テーブルを新規に作成することが選択された場合は（ステップＳ１−１７における判断結果がＹＥＳである場合には）、新規にキー機能テーブルを作成してデータメモリ部１１に格納する（ステップＳ１−１９）。
【００５９】
そして、ステップＳ１−１８または１９においてキー機能テーブルのデータメモリ部１１への格納が終了すれば、キー機能登録／変更モードが終了し、携帯電話は再び待ち受け状態に戻る（ステップＳ１−２に戻る）。
【００６０】
なお、図２に示すキー機能登録／変更動作は携帯電話の電源がＯＦＦ状態になることで終了する。
【００６１】
次に、図１に示す携帯電話のキー音登録／変更動作について説明する。
【００６２】
図３は、図１に示す携帯電話のキー音登録／変更動作の一例を示すフローチャートである。
【００６３】
まずはじめに、携帯電話の電源がＯＮ状態になる（ステップＳ２−１）と、携帯電話が立ち上がって待ち受け状態になる（ステップＳ２−２）。この状態で、携帯電話はキー押下による割り込みを待っており（ステップＳ２−３）、キー押下による割り込みが無い場合（ステップＳ２−３における判断結果がＮＯである場合）は、ステップＳ２−２に戻る。
【００６４】
一方、入力部１のキーが押下されると（ステップＳ２−３における判断結果がＹＥＳになると）、キー割り込みが発生し、制御部５がキーの確認を行って、このキーの押下による操作がキー音登録／変更モードであるか否かの判断を行なう（ステップＳ２−４）。そして、キー音登録／変更モードでは無いと判断した場合（ステップＳ２−４における判断結果がＮＯである場合）は、従来の携帯電話と同様にキー機能に従った通常動作が実行される（ステップＳ２−５）。
【００６５】
また、キー音登録／変更モードであると判断した場合（ステップＳ２−４における判断結果がＹＥＳである場合）は、携帯電話はキーの音を変更するキー音登録／変更モードに入り、変更対象のキーが選択（押下）されるのを待つ。そして、キーが選択されると（ステップＳ２−６）、制御部５の認識手段５ａは、キー操作によって選択されたキーを認識し、制御部５の照合手段５ｂは、このキーに予め割り当てられている音の照合をデータメモリ部１１に格納されているキー機能テーブルに基づき行った後、表示部２に任意の表示を行うことによって、押下したキーと音とを順番にトレースするキー音トレースモードと、音自体を選択して割り当てる音モードとのうちのいずれか一方のモードを携帯電話の使用者に選択させる（ステップＳ２−７）。
【００６６】
ここで、キー音トレースモードが選択されると（ステップＳ２−７における判断結果がＹＥＳである場合は）、制御部５はキー音トレースモードフラグをＯＮにしてこの状態を覚える（ステップＳ２−８）。一方、音モードが選択されると（ステップＳ２−７における判断結果がＮＯである場合は）、制御部５は音モードフラグをＯＮにしてこの状態を覚える（ステップＳ２−９）。
【００６７】
次いで、入力部１のクリアキーが押下されたか否かを判断し（ステップＳ２−１０）、クリアキーが押下されていれば（ステップＳ２−１０における判断結果がＹＥＳであった場合は）、選択されたキーに割り当てられた初期値を含む現状の設定音をクリアし（ステップＳ２−１１）、さらに、入力部１の確定キーが押下されたか否かを判断する（ステップＳ２−１２）。一方、クリアキーが押下されていなければ（ステップＳ２−１０における判断結果がＮＯであった場合は）、入力部１の確定キーが押下されたか否かを判断する（ステップＳ２−１２）。
【００６８】
そして、確定キーが押下されなければ（ステップＳ２−１２における判断結果がＮＯであった場合は）、キー音トレースモードフラグと音モードフラグとのうちのいずれのフラグがＯＮになっているのかを判断する（ステップＳ２−１３）。ここで、ＯＮになっているのがキー音トレースモードフラグである場合は（ステップＳ２−１３における判断結果がＹＥＳである場合は）、選択されたキーと音とを順番に履歴に残し、データメモリ部１１に一時的に格納（記憶）し（ステップＳ２−１５）、ステップＳ２−１０に戻る。一方、ＯＮになっているのが音モードフラグである場合は（ステップＳ２−１３における判断結果がＮＯである場合は）、表示部２に表示されたメニューから選択された音をデータメモリ部１１に一時的に格納（記憶）し（ステップＳ２−１６）、ステップＳ２−１０に戻る。
【００６９】
そして、ステップＳ２−１２における判断結果がＮＯの間は、前述のステップＳ２−１０〜１３、ステップＳ２−１５およびステップＳ２−１６を適宜繰り返し実行する。その後、ステップＳ２−１２において確定キーが押下されたと判断されると（ステップＳ２−１２における判断結果がＹＥＳになると）、制御部５の変更手段５ｃにより、前述のステップＳ２−１５，１６でデータメモリ部１１に一時的に格納していた情報をステップＳ２−６で選択されたキーに一対一に対応させて音を変更する（ステップＳ２−１４）。
【００７０】
続いて、ステップＳ２−１４において対応させたキーと音とを示すキー機能テーブルを新規に作成するか否かを、表示部２に任意の表示を行うことによって携帯電話の使用者に選択させる（ステップＳ２−１７）。
【００７１】
ここで、キー機能テーブルを新規に作成しないことが選択された場合は（ステップＳ２−１７における判断結果がＮＯである場合には）、新しいキー機能テーブルを、既にデータメモリ部１１に格納されていたキー機能テーブルに上書きしてデータメモリ部１１に格納する（ステップＳ２−１８）。一方、キー機能テーブルを新規に作成することが選択された場合は（ステップＳ２−１７における判断結果がＹＥＳである場合には）、新規にキー機能テーブルを作成してデータメモリ部１１に格納する（ステップＳ２−１９）。
【００７２】
そして、ステップＳ２−１８または１９においてキー機能テーブルのデータメモリ部１１への格納が終了すれば、キー音登録／変更モードが終了し、携帯電話は再び待ち受け状態に戻る（ステップＳ２−２に戻る）。
【００７３】
なお、図３に示すキー音登録／変更動作は携帯電話の電源がＯＦＦ状態になることで終了する。
【００７４】
次に、図１に示す携帯電話のキー表示登録／変更動作について説明する。
【００７５】
図４は、図１に示す携帯電話のキー表示登録／変更動作の一例を示すフローチャートである。
【００７６】
まずはじめに、携帯電話の電源がＯＮ状態になる（ステップＳ３−１）と、携帯電話が立ち上がって待ち受け状態になる（ステップＳ３−２）。この状態で、携帯電話はキー押下による割り込みを待っており（ステップＳ３−３）、キー押下による割り込みが無い場合（ステップＳ３−３における判断結果がＮＯである場合）は、ステップＳ３−２に戻る。
【００７７】
一方、入力部１のキーが押下されると（ステップＳ３−３における判断結果がＹＥＳになると）、キー割り込みが発生し、制御部５がキーの確認を行って、このキーの押下による操作がキー表示登録／変更モードであるか否かの判断を行なう（ステップＳ３−４）。そして、キー表示登録／変更モードでは無いと判断した場合（ステップＳ３−４における判断結果がＮＯである場合）は、従来の携帯電話と同様にキー機能に従った通常動作が実行される（ステップＳ３−５）。
【００７８】
また、キー表示登録／変更モードであると判断した場合（ステップＳ３−４における判断結果がＹＥＳである場合）は、携帯電話はキーの表示を変更するキー表示登録／変更モードに入り、変更対象のキーが選択（押下）されるのを待つ。そして、キーが選択されると（ステップＳ３−６）、制御部５の認識手段５ａは、キー操作によって選択されたキーを認識し、制御部５の照合手段５ｂは、このキーに予め割り当てられている表示の照合をデータメモリ部１１に格納されているキー機能テーブルに基づき行った後、表示部２に任意の表示を行うことによって、押下したキーと表示とを順番にトレースするキー表示トレースモードと、表示フォント、データを割り当てる表示フォント、データ割り当てモードとのうちのいずれか一方のモードを携帯電話の使用者に選択させる（ステップＳ３−７）。
【００７９】
ここで、キー表示トレースモードが選択されると（ステップＳ３−７における判断結果がＹＥＳである場合は）、制御部５はキー表示トレースモードフラグをＯＮにしてこの状態を覚える（ステップＳ３−８）。一方、表示フォント、データ割り当てモードが選択されると（ステップＳ３−７における判断結果がＮＯである場合は）、制御部５は表示フォント、データ割り当てモードフラグをＯＮにしてこの状態を覚える（ステップＳ３−９）。
【００８０】
次いで、入力部１のクリアキーが押下されたか否かを判断し（ステップＳ３−１０）、クリアキーが押下されていれば（ステップＳ３−１０における判断結果がＹＥＳであった場合は）、選択されたキーに割り当てられた初期値を含む現状の設定表示をクリアし（ステップＳ３−１１）、さらに、入力部１の確定キーが押下されたか否かを判断する（ステップＳ３−１２）。一方、クリアキーが押下されていなければ（ステップＳ３−１０における判断結果がＮＯであった場合は）、入力部１の確定キーが押下されたか否かを判断する（ステップＳ３−１２）。
【００８１】
そして、確定キーが押下されなければ（ステップＳ３−１２における判断結果がＮＯであった場合は）、キー表示トレースモードフラグと表示フォント、データ割り当てモードフラグとのうちのいずれのフラグがＯＮになっているのかを判断する（ステップＳ３−１３）。ここで、ＯＮになっているのがキー表示トレースモードフラグである場合は（ステップＳ３−１３における判断結果がＹＥＳである場合は）、選択されたキーと表示とを順番に履歴に残し、データメモリ部１１に一時的に格納（記憶）し（ステップＳ３−１５）、ステップＳ３−１０に戻る。一方、ＯＮになっているのが表示フォント、データ割り当てモードフラグである場合は（ステップＳ３−１３における判断結果がＮＯである場合は）、表示部２に表示されたメニューから選択された表示をデータメモリ部１１に一時的に格納（記憶）し（ステップＳ３−１６）、ステップＳ３−１０に戻る。
【００８２】
そして、ステップＳ３−１２における判断結果がＮＯの間は、前述のステップＳ３−１０〜１３、ステップＳ３−１５およびステップＳ３−１６を適宜繰り返し実行する。その後、ステップＳ３−１２において確定キーが押下されたと判断されると（ステップＳ３−１２における判断結果がＹＥＳになると）、制御部５の変更手段５ｃにより、前述のステップＳ３−１５，１６でデータメモリ部１１に一時的に格納していた情報をステップＳ３−６で選択されたキーに一対一に対応させて表示を変更する（ステップＳ３−１４）。
【００８３】
続いて、ステップＳ３−１４において対応させたキーと表示とを示すキー機能テーブルを新規に作成するか否かを、表示部２に任意の表示を行うことによって携帯電話の使用者に選択させる（ステップＳ３−１７）。
【００８４】
ここで、キー機能テーブルを新規に作成しないことが選択された場合は（ステップＳ３−１７における判断結果がＮＯである場合には）、新しいキー機能テーブルを、既にデータメモリ部１１に格納されていたキー機能テーブルに上書きしてデータメモリ部１１に格納する（ステップＳ３−１８）。一方、キー機能テーブルを新規に作成することが選択された場合は（ステップＳ３−１７における判断結果がＹＥＳである場合には）、新規にキー機能テーブルを作成してデータメモリ部１１に格納する（ステップＳ３−１９）。
【００８５】
そして、ステップＳ３−１８または１９においてキー機能テーブルのデータメモリ部１１への格納が終了すれば、キー表示登録／変更モードが終了し、携帯電話は再び待ち受け状態に戻る（ステップＳ３−２に戻る）。
【００８６】
なお、図４に示すキー表示登録／変更動作は携帯電話の電源がＯＦＦ状態になることで終了する。
【００８７】
次に、図１に示す携帯電話のキー振動登録／変更動作について説明する。
【００８８】
図５は、図１に示す携帯電話のキー振動登録／変更動作の一例を示すフローチャートである。
【００８９】
まずはじめに、携帯電話の電源がＯＮ状態になる（ステップＳ４−１）と、携帯電話が立ち上がって待ち受け状態になる（ステップＳ４−２）。この状態で、携帯電話はキー押下による割り込みを待っており（ステップＳ４−３）、キー押下による割り込みが無い場合（ステップＳ４−３における判断結果がＮＯである場合）は、ステップＳ４−２に戻る。
【００９０】
一方、入力部１のキーが押下されると（ステップＳ４−３における判断結果がＹＥＳになると）、キー割り込みが発生して、制御部５がキーの確認を行って、このキーの押下による操作がキー振動登録／変更モードであるか否かの判断を行なう（ステップＳ４−４）。そして、キー振動登録／変更モードでは無いと判断した場合（ステップＳ４−４における判断結果がＮＯである場合）は、従来の携帯電話と同様にキー機能に従った通常動作が実行される（ステップＳ４−５）。
【００９１】
また、キー振動登録／変更モードであると判断した場合（ステップＳ４−４における判断結果がＹＥＳである場合）は、携帯電話はキーの振動を変更するキー振動登録／変更モードに入り、変更対象のキーが選択（押下）されるのを待つ。そして、キーが選択されると（ステップＳ４−６）、制御部５の認識手段５ａは、キー操作によって選択されたキーを認識し、制御部５の照合手段５ｂは、このキーに予め割り当てられている振動の照合をデータメモリ部１１に格納されているキー機能テーブルに基づき行った後、表示部２に任意の表示を行うことによって、押下したキーと振動とを順番にトレースするキー振動トレースモードと、振動パターンを選択して割り当てる振動パターン割り当てモードとのうちのいずれか一方のモードを携帯電話の使用者に選択させる（ステップＳ４−７）。
【００９２】
ここで、キー振動トレースモードが選択されると（ステップＳ４−７における判断結果がＹＥＳである場合は）、制御部５はキー振動トレースモードフラグをＯＮにしてこの状態を覚える（ステップＳ４−８）。一方、振動パターン割り当てモードが選択されると（ステップＳ４−７における判断結果がＮＯである場合は）、制御部５は振動パターン割り当てモードフラグをＯＮにしてこの状態を覚える（ステップＳ４−９）。
【００９３】
次いで、入力部１のクリアキーが押下されたか否かを判断し（ステップＳ４−１０）、クリアキーが押下されていれば（ステップＳ４−１０における判断結果がＹＥＳであった場合は）、選択されたキーに割り当てられた初期値を含む現状の設定振動パターンをクリアし（ステップＳ４−１１）、さらに、入力部１の確定キーが押下されたか否かを判断する（ステップＳ４−１２）。一方、クリアキーが押下されていなければ（ステップＳ４−１０における判断結果がＮＯであった場合は）、入力部１の確定キーが押下されたか否かを判断する（ステップＳ４−１２）。
【００９４】
そして、確定キーが押下されなければ（ステップＳ４−１２における判断結果がＮＯであった場合は）、キー振動トレースモードフラグと振動パターン割り当てモードフラグとのうちのいずれのフラグがＯＮになっているのかを判断する（ステップＳ４−１３）。ここで、ＯＮになっているのがキー振動トレースモードフラグである場合は（ステップＳ４−１３における判断結果がＹＥＳである場合は）、選択されたキーと振動パターンとを順番に履歴に残し、データメモリ部１１に一時的に格納（記憶）し（ステップＳ４−１５）、ステップＳ４−１０に戻る。一方、ＯＮになっているのが振動パターン割り当てモードフラグである場合は（ステップＳ４−１３における判断結果がＮＯである場合は）、表示部２に表示されたメニューから選択された振動パターンをデータメモリ部１１に一時的に格納（記憶）し（ステップＳ４−１６）、ステップＳ４−１０に戻る。
【００９５】
そして、ステップＳ４−１２における判断結果がＮＯの間は、前述のステップＳ４−１０〜１３、ステップＳ４−１５およびステップＳ４−１６を適宜繰り返し実行する。その後、ステップＳ４−１２において確定キーが押下されたと判断されると（ステップＳ４−１２における判断結果がＹＥＳになると）、制御部５の変更手段５ｃにより、前述のステップＳ４−１５，１６でデータメモリ部１１に一時的に格納していた情報をステップＳ４−６で選択されたキーに一対一に対応させて振動を変更する（ステップＳ４−１４）。
【００９６】
続いて、ステップＳ４−１４において対応させたキーと振動パターンとを示すキー機能テーブルを新規に作成するか否かを、表示部２に任意の表示を行うことによって携帯電話の使用者に選択させる（ステップＳ４−１７）。
【００９７】
ここで、キー機能テーブルを新規に作成しないことが選択された場合は（ステップＳ４−１７における判断結果がＮＯである場合には）、新しいキー機能テーブルを、既にデータメモリ部１１に格納されていたキー機能テーブルに上書きしてデータメモリ部１１に格納する（ステップＳ４−１８）。一方、キー機能テーブルを新規に作成することが選択された場合は（ステップＳ４−１７における判断結果がＹＥＳである場合には）、新規にキー機能テーブルを作成してデータメモリ部１１に格納する（ステップＳ４−１９）。
【００９８】
そして、ステップＳ４−１８または１９においてキー機能テーブルのデータメモリ部１１への格納が終了すれば、キー振動登録／変更モードが終了し、携帯電話は再び待ち受け状態に戻る（ステップＳ４−２に戻る）。
【００９９】
なお、図５に示すキー振動登録／変更動作は携帯電話の電源がＯＦＦ状態になることで終了する。
【０１００】
次に、図１に示す携帯電話のテーブル登録／変更動作の一例について説明する。このテーブル登録／変更動作は、通信網を介して基地局からキー機能テーブルをダウンロードすることによってキー機能テーブルを変更する場合の動作である。
【０１０１】
図６は、図１に示す携帯電話のテーブル登録／変更動作の一例を示すフローチャートである。
【０１０２】
まずはじめに、携帯電話の電源がＯＮ状態になる（ステップＳ５−１）と、携帯電話が立ち上がって待ち受け状態になる（ステップＳ５−２）。この状態で、携帯電話は発信または着信を待っており（ステップＳ５−３）、発信または着信が無い場合（ステップＳ５−３における判断結果がＮＯである場合）は、ステップＳ５−２に戻る。一方、発信または着信が有れば（ステップＳ５−３における判断結果がＹＥＳになると）、通話状態になる（ステップＳ５−４）。
【０１０３】
この状態で、基地局２０または使用者によるダウンロード指示が有るか否かの判断を行う（ステップＳ５−５）。
【０１０４】
そして、ダウンロード指示が無ければ（ステップＳ５−５における判断結果がＮＯである場合は）、終話するまで通話状態を続け（ステップＳ５−６における判断結果がＮＯになり、ステップＳ５−４，５，６が繰り返され）、終話する場合（ステップＳ５−６における判断結果がＹＥＳになると）は、終話（ステップＳ５−７）した後、ステップＳ５−２に戻って待ち受け状態になる。
【０１０５】
一方、ダウンロード指示が有れば（ステップＳ５−５における判断結果がＹＥＳである場合は）、携帯電話はダウンロードモードに移行し、基地局２０からキー機能テーブルを示すデータをダウンロードし、データメモリ部１１に一時的に格納する（ステップＳ５−８）。
【０１０６】
そして、ダウンロードが終了すると、携帯電話はダウンロードモードから抜け（ステップＳ５−９）、終話し（ステップＳ５−１０）、データメモリ部１１に一時的に格納したキー機能テーブルを上書きしてデータメモリ部１１に格納するか否かを、表示部２に任意の表示を行うことによって携帯電話の使用者に選択させる（ステップＳ５−１１）。
【０１０７】
ここで、キー機能テーブルを上書きすることが選択された場合は（ステップＳ５−１１における判断結果がＮＯである場合には）、新規にキー機能テーブルを作成してデータメモリ部１１に格納する（ステップＳ５−１２）。一方、キー機能テーブルを上書きしないことが選択された場合は（ステップＳ５−１１における判断結果がＹＥＳである場合には）、新しいキー機能テーブルを、既にデータメモリ部１１に格納されていたキー機能テーブルに上書きしてデータメモリ部１１に格納する（ステップＳ５−１３）。
【０１０８】
そして、ステップＳ５−１２または１３においてキー機能テーブルのデータメモリ部１１への格納が終了すれば、携帯電話は再び待ち受け状態に戻る（ステップＳ５−２に戻る）。
【０１０９】
なお、図６に示すテーブル登録／変更動作は携帯電話の電源がＯＦＦ状態になることで終了する。
【０１１０】
次に、図１に示す携帯電話のテーブル登録／変更動作の他の例について説明する。このテーブル登録／変更動作は、外部機器または外部メモリからキー機能テーブルをダウンロードすることによってキー機能テーブルを変更する場合の動作である。
【０１１１】
図７は、図１に示す携帯電話のテーブル登録／変更動作の他の例を示すフローチャートである。
【０１１２】
まずはじめに、携帯電話の電源がＯＮ状態になる（ステップＳ６−１）と、携帯電話が立ち上がって待ち受け状態になる（ステップＳ６−２）。この状態で、外部機器または使用者による外部メモリからのダウンロード（外部ダウンロード）指示が有るか否かの判断を行う（ステップＳ６−３）。
【０１１３】
そして、外部ダウンロード指示が無ければ（ステップＳ６−３における判断結果がＮＯである場合は）、ステップＳ６−２に戻って待ち受け状態になる。
【０１１４】
一方、外部ダウンロード指示が有れば（ステップＳ６−３における判断結果がＹＥＳである場合は）、携帯電話は外部ダウンロードモードに移行し、外部機器または外部メモリからキー機能テーブルを示すデータをダウンロードし、データメモリ部１１に一時的に格納する（ステップＳ６−４）。
【０１１５】
そして、ダウンロードが終了すると、データメモリ部１１に一時的に格納したキー機能テーブルを上書きしてデータメモリ部１１に格納するか否かを、表示部２に任意の表示を行うことによって携帯電話の使用者に選択させる（ステップＳ６−５）。
【０１１６】
ここで、キー機能テーブルを上書きしないことが選択された場合は（ステップＳ６−５における判断結果がＮＯである場合には）、新規にキー機能テーブルを作成してデータメモリ部１１に格納する（ステップＳ６−６）。一方、キー機能テーブルを上書きすることが選択された場合は（ステップＳ６−５における判断結果がＹＥＳである場合には）、新しいキー機能テーブルを、既にデータメモリ部１１に格納されていたキー機能テーブルに上書きしてデータメモリ部１１に格納する（ステップＳ６−７）。
【０１１７】
そして、ステップＳ６−６または７においてキー機能テーブルのデータメモリ部１１への格納が終了すれば、携帯電話は外部ダウンロードモードから抜け（ステップＳ６−８）、携帯電話は再び待ち受け状態に戻る（ステップＳ６−２に戻る）。
【０１１８】
なお、図７に示すテーブル登録／変更動作は携帯電話の電源がＯＦＦ状態になることで終了する。
【０１１９】
例えば、上記テーブル登録／変更動作に従って、数字キー「３」に、「機能」として「自宅の電話番号０８２４−１１−２３４５に発信」を割り当て、「音」として「２０００Ｈｚ断続音」を割り当て、「表示」として「ＨＯＭＥ」を割り当て、「振動」として「有り」を割り当てると、表２に示すキー機能テーブルを表３に示すキー機能テーブルに変更することができる。
【０１２０】
【表３】
0003725400.tif 000004
【０１２１】
【発明の効果】
本発明の携帯端末は、キー操作部を備えた入力手段を有する携帯端末であって、キー操作部に配置された複数のキーのうちキー操作に用いられたキーを認識する認識手段と、認識したキーに割り当てられたキー機能を照合する照合手段と、照合したキー機能を、携帯端末が有する複数のキー機能から任意に選択されたキー機能に変更する変更手段と、変更後のキー機能を示す情報を格納する格納手段とをさらに備えてなるものであり、キーの機能、音、表示および振動を任意に割り当て直すことによって、使い勝手を向上させること、オリジナリティーを増すこと、および秘匿性を増すことができる。
【０１２２】
また、前記格納手段が、変更前のキー機能を示す情報として、携帯端末が有する複数の機能とキーとを対応付けたキー機能テーブルを格納しており、前記照合手段は、このキー機能テーブルに基づいて、認識したキーに割り当てられたキー機能の照合を行うものであることが好ましい。
【０１２３】
また、前記キー機能を表す項目が、キーを押下することにより実行される機能、キーを押下することにより鳴らされる音、キーを押下することにより表れる表示、およびキーを押下することにより発生する振動のうちの少なくとも１つからなるものであることが好ましい。
【０１２４】
本発明の携帯端末は、キー操作部を備えた入力手段を有する携帯端末であって、通信網を介して基地局からキー機能テーブルをダウンロードすることにより、キー操作部に配置されたキーのキー機能を変更するものであり、使い勝手を向上させること、オリジナリティーを増すこと、および秘匿性を増すことがより容易にできる。
【０１２５】
本発明の携帯端末は、キー操作部を備えた入力手段を有する携帯端末であって、外部機器または外部メモリからキー機能テーブルをダウンロードすることにより、キー操作部に配置されたキーのキー機能を変更するものであり、使い勝手を向上させること、オリジナリティーを増すこと、および秘匿性を増すことがより容易にできる。
【図面の簡単な説明】
【図１】本発明の携帯端末の一実施の形態としての携帯電話を示す説明図である。
【図２】図１に示す携帯電話のキー機能登録／変更動作の一例を示すフローチャートである。
【図３】図１に示す携帯電話のキー音登録／変更動作の一例を示すフローチャートである。
【図４】図１に示す携帯電話のキー表示登録／変更動作の一例を示すフローチャートである。
【図５】図１に示す携帯電話のキー振動登録／変更動作の一例を示すフローチャートである。
【図６】図１に示す携帯電話のテーブル登録／変更動作の一例を示すフローチャートである。
【図７】図１に示す携帯電話のテーブル登録／変更動作の他の例を示すフローチャートである。
【図８】従来の携帯電話の外観の一例を示す説明図である。
【図９】図８に示す携帯電話のキーマトリクスの配線パターンの一例を示す説明図である。
【図１０】従来の携帯電話の一実施の形態を示す説明図である。
【図１１】従来の携帯電話のキー認識動作の一例を示すフローチャートである。
【符号の説明】
１  入力部
２  表示部
３  送受信部
４  アンテナ
５  制御部
５ａ  認識手段
５ｂ  照合手段
５ｃ  変更手段
６  音声部
７  マイク
８  レシーバ
９  振動部
１０  プログラムメモリ部
１１  データメモリ部
２０  基地局
２１  外部機器または外部メモリ
【図１】
0003725400.tif 000005
【図２】
0003725400.tif 000006
【図３】
0003725400.tif 000007
【図４】
0003725400.tif 000008
【図５】
0003725400.tif 000009
【図６】
0003725400.tif 000010
【図７】
0003725400.tif 000011
【図８】
0003725400.tif 000012
【図９】
0003725400.tif 000013
【図１０】
0003725400.tif 000014
【図１１】
0003725400.tif 000015